(57)【特許請求の範囲】
【請求項１】
光磁気記録媒体に再生磁界を印加しつつ光ビームを照射し、前記光磁気記録媒体に記録された情報を再生する再生方法において、
前記光磁気記録媒体の周囲温度を測定する過程と、該周囲温度と予め設定された所定温度とを比較する過程と、該比較結果に応じて、印加すべき再生磁界の極性を決定する過程と、決定された極性の再生磁界を印加して前記光磁気記録媒体を再生する過程とを有することを特徴とする光磁気記録媒体の再生方法。
【請求項２】
光磁気記録媒体に再生磁界を印加しつつ光ビームを照射し、前記光磁気記録媒体に記録された情報を再生する再生方法において、
前記光磁気記録媒体に第１極性の磁界を印加して再生信号を得る過程と、該再生信号が正常か否かを判定する過程と、前記光磁気記録媒体の周囲温度を測定する過程と、該周囲温度と予め設定された所定温度とを比較する過程と、前記再生信号の判定結果及び前記温度の比較結果に基づいて、前記第１極性の磁界及び逆極性の磁界のいずれが高温用磁界又は低温用磁界かを判断する過程と、前記周囲温度が前記所定温度よりも高い場合に前記高温用磁界を印加し、低い場合に前記低温用磁界を印加する過程とを有することを特徴とする光磁気記録媒体の再生方法。
【請求項３】
前記光磁気記録媒体は少なくとも記録層と再生層とを有する多層構造であり、光ビームとの相対移動により生じた温度分布の低温領域で前記再生層は前記記録層の磁化方向に関与せず、高温領域で前記再生層には前記記録層の磁化方向が転写されており、前記温度の比較結果に応じて決定された極性の再生磁界を印加しつつ前記高温領域の磁化方向を読み出す請求項１又は２記載の光磁気記録媒体の再生方法。
【請求項４】
光磁気記録媒体に再生磁界を印加しつつ光ビームを照射し、前記光磁気記録媒体に記録された情報を再生する再生装置において、
前記光磁気記録媒体の周囲温度を測定する温度測定手段と、前記光磁気記録媒体に再生磁界を印加する印加手段と、該印加手段を制御する再生磁界制御手段とを備え、該再生磁界制御手段は、再生操作の指示を受ける手段と、指示を受けたときに、前記温度測定手段による測定結果と予め設定された所定温度とを比較する比較手段と、該比較結果に応じて、印加すべき再生磁界の極性を決定し、前記印加手段に知らせる手段とを有することを特徴とする光磁気記録媒体の再生装置。
【請求項５】
請求項１又は２に記載の再生方法により再生される光磁気記録媒体であって、
前記周囲温度と比較すべき所定の温度を記録してあることを特徴とする光磁気記録媒体。
【発明の詳細な説明】
【０００１】
【発明の属する技術分野】
本発明は、光磁気記録媒体の再生方法及び再生装置に関し、例えばラップトップコンピュータのように広範囲の装置内温度に対して高い再生特性が要求される再生装置、再生方法及び再生される光磁気記録媒体に関する。
【０００２】
【従来の技術】
近年、コンピュータのパーソナル指向により周辺機器の小型化、低消費電力化及び低コスト化が進んでおり、コンピュータの外部記憶装置である光磁気ディスク装置は、情報記録の高密度化が要望されている。例えば、現在実用化されている３．５インチの光磁気ディスクには、1.1 μｍピッチで設けられたトラックの円周方向に（１，７）変調のマークエッジ記録の最小単位である２Ｔピットとして 0.64 μｍの記録マークが形成されており、その結果、640 ＭＢの記録容量を有している。
【０００３】
より高密度の記録容量を有する光磁気ディスクとして、レーザ光のスポット径よりも小寸法の記録マークを再生する磁気超解像（ＭＳＲ，Magnetically Induced Super Resolution ）技術が提案されている。種々のＭＳＲ再生方式が検討されているなか本願出願人は特開平７−244877号公報にて、初期化磁石を必要とせず、クロストーク対策に有効で且つ高い光磁気信号が得られるＭＳＲ媒体の再生方式を提案している。
【０００４】
図８は、上述した本願出願人の提案によるＭＳＲ媒体の再生時の磁化状態を示す図である。光変調記録方式によりレーザ光のスポットＳよりも小径の記録マークが形成されており、再生時には消去方向の再生磁界が印加される。媒体の回転とレーザ光の照射とにより、媒体には温度分布が生じている。低温領域では、再生磁界の印加により中間層の磁化が特定の方向に揃って記録層の磁化方向をマスクし（フロントマスク）、高温領域では再生層の磁化が再生磁界の方向に揃って記録層の磁化方向をマスクする（リアマスク）。これらの間の中間温度領域はスポットＳの径より小さな領域であり、記録層の磁化が再生層に転写されて読み出される（開口部）。このようなＭＳＲ媒体で再生信号の出力を充分に得るためには、低温領域であるフロントマスクが正確に形成されていることが必要であり、これには媒体の周囲温度（以下、環境温度という）が大きく影響する。
【０００５】
媒体の環境温度に関しては、通常の光磁気ディスクで、装置内温度が０℃〜５０℃、媒体環境温度が高温側で６０℃まで動作補償するように標準規格で定められている。図９は上述したＭＳＲ媒体の媒体の環境温度と再生磁界との関係について示すグラフである。縦軸は再生磁界を示し、横軸は温度を示しており、再生磁界の正負は磁界極性を表している。グラフから判るように、媒体の環境温度が高くなるほど高い再生磁界が必要であることが判る。また図１０は、媒体環境温度とＣＮ比との関係を示すグラフであり、縦軸はＣＮ比を示し、横軸は媒体の環境温度を示している。グラフから判るように、温度が高くなるとＣＮ比が低下している。従って、環境温度が高くなって再生磁界が不足するとＣＮ比が低下する。これを解決するためには高い再生磁界を印加すれば良いが、印加する再生磁界の大きさには限界があるという問題があった。
【０００６】
【発明が解決しようとする課題】
そこで、本願発明者らは特願平８−180973号において、６０℃の高温まで安定に動作するＭＳＲ媒体について提案している。しかしながら、近年のラップトップコンピュータの普及により、さらに広い温度範囲で良好な再生特性を有する光磁気装置が要望されている。ラップトップコンピュータは、狭いスペースに高密度に種々のデバイスが集積されているために、装置内温度が通常よりも高温になりやすい。また、携帯が容易であるので冬期に屋外で使用する場合もあり、このとき装置内温度は通常よりも低温になる。このように従来の光磁気記録再生方式では、広範囲な環境温度に対応して充分な再生特性を得ることができないという問題があった。さらに、磁界変調記録方式を用いる装置では、環境温度に伴って大きな再生磁界が必要となり、小さなコイルに大電流を流すためにコイルに損傷を起こす虞があるという問題があった。
【０００７】
本発明は、かかる事情に鑑みてなされたものであり、印加する再生磁界の極性を媒体の環境温度に基づいて定めることにより、広範囲の環境温度に対応して良好な再生特性を得ることができる光磁気再生方法、再生装置及び光磁気記録媒体を提供することを目的とする。
【０００８】
【課題を解決するための手段】
第１発明に係る光磁気記録媒体の再生方法は、光磁気記録媒体に再生磁界を印加しつつ光ビームを照射し、前記光磁気記録媒体に記録された情報を再生する再生方法において、前記光磁気記録媒体の周囲温度を測定する過程と、該周囲温度と予め設定された所定温度とを比較する過程と、該比較結果に応じて、印加すべき再生磁界の極性を決定する過程と、決定された極性の再生磁界を印加して前記光磁気記録媒体を再生する過程とを有することを特徴とする。
【０００９】
第１発明にあっては、光磁気記録媒体の周囲温度、即ち環境温度に応じて、印加する再生磁界の極性を決定する。例えば、前述したような本願出願人の提案によるＭＳＲ媒体では、後述する図３に示すように、再生磁界が消去方向である場合には温度が高くなるにつれて最小磁界の絶対値は大きくなるが、記録方向の場合には最小磁界の絶対値は逆に小さくなる。ここで消去方向とは媒体を初期消去した際の印加磁界の方向であり、記録方向とは消去方向と逆の方向をいう。このようなＭＳＲ媒体を再生する場合には、両者の最小再生磁界が一致する温度を境にして、これより高温側では記録方向の再生磁界を、低温側では消去方向の再生磁界を印加することにより、再生時に必要な再生磁界を低減することができ、高範囲の環境温度に対して良好な再生特性を得る。
【００１０】
第２発明に係る光磁気記録媒体の再生方法は、光磁気記録媒体に再生磁界を印加しつつ光ビームを照射し、前記光磁気記録媒体に記録された情報を再生する再生方法において、前記光磁気記録媒体に第１極性の磁界を印加して再生信号を得る過程と、該再生信号が正常か否かを判定する過程と、前記光磁気記録媒体の周囲温度を測定する過程と、該周囲温度と予め設定された所定温度とを比較する過程と、前記再生信号の判定結果及び前記温度の比較結果に基づいて、前記第１極性の磁界及び逆極性の磁界のいずれが高温用磁界又は低温用磁界かを判断する過程と、前記周囲温度が前記所定温度よりも高い場合に前記高温用磁界を印加し、低い場合に前記低温用磁界を印加する過程とを有することを特徴とする。
【００１１】
第２発明にあっては、光磁気記録媒体の初期消去の磁界の極性を判断する過程を有しており、例えば磁界変調記録方式のように、記録マークの消去方向と記録方向とを判別しにくい場合に適用される。再生信号が正常に得られたときに、環境温度に合った極性の再生磁界が印加されていると判断され、消去方向及び記録方向を判別できる。この判別は最初の再生操作時に行われ、光磁気記録媒体が装着されている期間は、判別結果と測定温度の比較結果に応じて、印加すべき再生磁界の極性を決定する。これにより、高範囲の環境温度に対して良好な再生特性を得る。
【００１２】
第３発明に係る光磁気記録媒体の再生方法は、第１又は第２発明において、前記光磁気記録媒体は少なくとも記録層と再生層とを有する多層構造であり、光ビームとの相対移動により生じた温度分布の低温領域で前記再生層は前記記録層の磁化方向に関与せず、高温領域で前記再生層には前記記録層の磁化方向が転写されており、前記温度の比較結果に応じて決定された極性の再生磁界を印加しつつ前記高温領域の磁化方向を読み出すことを特徴とする。
【００１３】
第３発明にあっては、光ビームの相対移動により生じる温度分布を利用して微細な記録マークを再生できる光磁気記録媒体について、環境温度に応じて再生磁界の極性を決定することにより、高範囲の温度に対して良好な再生特性を得ることができる。
【００１４】
第４発明に係る光磁気記録媒体の再生装置は、光磁気記録媒体に再生磁界を印加しつつ光ビームを照射し、前記光磁気記録媒体に記録された情報を再生する再生装置において、前記光磁気記録媒体の周囲温度を測定する温度測定手段と、前記光磁気記録媒体に再生磁界を印加する印加手段と、該印加手段を制御する再生磁界制御手段とを備え、該再生磁界制御手段は、再生操作の指示を受ける手段と、指示を受けたときに、前記温度測定手段による測定結果と予め設定された所定温度とを比較する比較手段と、該比較結果に応じて、印加すべき再生磁界の極性を決定し、前記印加手段に知らせる手段とを有することを特徴とする。
【００１５】
第４発明にあっては、再生磁界制御手段が、光磁気記録媒体の環境温度に応じて印加すべき磁化の極性を決定し、例えば電磁石又は永久磁石のような再生磁界印加手段にこれを指示するので、高範囲の温度に対して良好な再生特性を得ることができる。
【００１６】
第５発明に係る光磁気記録媒体は、第１又は第２発明の再生方法により再生される光磁気記録媒体であって、前記周囲温度と比較すべき所定の温度を記録してあることを特徴とする。
【００１７】
第５発明にあっては、環境温度と比較される所定温度、即ち記録方向と消去方向との両者の最小再生磁界が一致する温度は、光磁気記録媒体によって異なるので、媒体に記録してあることにより、装着される媒体ごとに適切な所定温度を用いることができる。
【００１８】
【発明の実施の形態】
以下、本発明をその実施の形態を示す図面に基づき具体的に説明する。
図１は、本発明の実施の形態の光磁気再生装置の部分的な構造を示す模式図である。図中１は光磁気ディスクであり、光磁気ディスク１の上方には、ディスク面から所定間隔を隔てて電磁石２が配されており、電磁石２には供給される電流の向きを切り換えるスイッチ部３が接続されている。スイッチ部３は、電磁石２に接続された共通端子Ｃ1 ，Ｃ2 と、電磁石２に供給する電流源を有する切り換え端子Ｓ1 ，Ｓ2 ，Ｓ3 とを備えており、共通端子Ｃ1 ，Ｃ2 及び切り換え端子Ｓ1 ，Ｓ2 ，Ｓ3 間での端子接続の切り換えにより、電磁石２に流れる電流の向きが変わり、電磁石２が印加する磁界の方向を変える。
【００１９】
また、光磁気ディスク１の近傍には温度検出器４が配されており、検出された温度が再生磁界制御部５に入力される。再生磁界制御部５では、入力された温度に基づいて再生磁界の向きをスイッチ部３に指示し、スイッチ部３はこの指示に応じてスイッチ部３を切り換えるようになっている。
【００２０】
光磁気ディスク１を挟んで電磁石２と対向せしめて光学ヘッド６が配されている。光学ヘッド６はレーザ光源と、ディスク上で反射したレーザ光をフォトダイオードへ案内する光学系とを備えている。フォトダイオード及び再生信号の処理回路等は通常の光磁気再生装置と同様のものを用いている。
【００２１】
上述した光磁気ディスク１は、前述した本願出願人の提案によるＭＳＲ媒体であり、図２にその膜構成図を示す。ポリカーボネート製の基板１１上に、ＳｉＮからなる誘電体層１２、ＧｄＦｅＣｏからなる再生層１３、ＧｄＦｅからなる中間層１４、ＴｂＦｅＣｏからなる記録層１５及びＳｉＮからなる保護層１６を積層して形成されている。このような膜構成の光磁気ディスク１には、（１，７）変調符号でランダムパターンの記録マークを最短マークの２Ｔ信号が0.4 μｍとなるように、光変調記録方式により記録されている。なお、この光磁気ディスク１はＮ方向の磁界を印加して初期消去を行なっている。
【００２２】
このような光磁気ディスク１について、再生に必要な最小再生磁界を媒体の環境温度を変えて測定した。図３はその結果を示すグラフである。縦軸は最小再生磁界の絶対値を示し、横軸は媒体環境温度を示している。グラフ中‘□−□’は消去方向の再生磁界を印加した場合であり、‘○−○’は消去方向と逆方向、即ち記録方向の再生磁界を印加した場合である。グラフから、Ｔ＝３５℃のときに再生磁界の記録方向と消去方向とで絶対値が同値であることが判る。これにより、図２に示す光磁気ディスク１では、再生磁界の印加方向を変えるべき境界温度は３５℃であることが判る。
【００２３】
以上の如き構成の光磁気ディスク１を光磁気再生装置で再生する場合について説明する。図４は、光磁気ディスク１の再生の手順を示すフローチャートである。再生磁界制御部５は光磁気ディスク１を再生する指示を受けた場合に（ステップＳ１１）、温度検出器４の測定温度ｔと境界温度Ｔとを比較する（ステップＳ１２）。再生磁界制御部５には、境界温度Ｔ＝３５℃が予め入力されている（図３参照）。比較の結果、測定温度ｔが境界温度Ｔよりも高い温度である場合には、再生磁界の印加方向が記録方向となるようにスイッチ部３に指示を与える（ステップＳ１３）。例えば、スイッチ部３の共通端子Ｃ1 と切り換え端子Ｓ2 とを接続し、共通端子Ｃ2 と切り換え端子Ｓ3 とを接続してＳの磁界を印加する。
【００２４】
また、ステップ１２で測定温度ｔが境界温度Ｔよりも低い温度である場合には、再生磁界の印加方向が消去方向となるようにスイッチ部３に指示を与える（ステップＳ１４）。例えば、スイッチ部３の共通端子Ｃ1 と切り換え端子Ｓ1 とを接続し、共通端子Ｃ2 と切り換え端子Ｓ2 とを接続してＮの磁界を印加する。ステップＳ１３及びステップＳ１４において、再生磁界は方向を変えるだけで、磁界の大きさを変える必要はない。例えば、記録方向及び消去方向の再生磁界を±３５０Ｏｅで印加する。
【００２５】
以上の手順に従って再生磁界を印加して光磁気ディスク１の再生を行ない、ジッタを測定した。図５はその結果を示すグラフであり、縦軸はランダムジッタを示し、横軸は媒体の環境温度を示している。グラフから明らかなように、広い温度範囲で低いジッタが測定されている。これにより、光磁気ディスク１の環境温度に応じて印加する再生磁界の方向を変えるだけで、再生磁界の大きさを変えることなく、広い温度範囲で良好な再生特性を得ることができる。
【００２６】
上述した再生方法は光変調記録方式の場合を説明しているが、磁界変調記録方式により記録マークが形成された光磁気ディスク１であっても同様に再生できる。以下に磁界変調記録方式の場合について説明する。光磁気ディスク１には、（１，７）変調符号でランダムパターンの記録マークを最短マークの２Ｔ信号が0.4 μｍとなるように、磁界変調記録方式により記録されている。なお、この光磁気ディスク１は初期消去をＮ方向の磁界を印加して行なっている。
【００２７】
図６は、磁界変調記録方式の場合の再生の手順を示すフローチャートである。再生磁界制御部５は光磁気ディスク１を再生する指示を受けた場合に、光磁気ディスク１が装着されて最初の再生か否かを判断する（ステップＳ２１）。最初の再生の場合には第１極性の再生磁界を印加し（ステップＳ２２）、温度検出器４の測定温度ｔと境界温度Ｔとを比較する（ステップＳ２３）。第１極性の磁界とは消去方向又はその逆方向のいずれの磁界であっても良く、第１極性の磁界が高温用磁界か又は低温用磁界かの判定を行なうために印加する。第１極性の磁界が、適切ではない極性の磁界である場合には、エラーレートが極めて大きくなるか、又は再生信号が全く得られなくなる。これにより、再生が正常に行なわれるか否かを調べることで、第１極性が適した磁界か否かを判定できる。
【００２８】
光磁気ディスク１の環境温度ｔが境界温度Ｔよりも高い場合に、再生が正常であるか否かを判断し（ステップＳ２４）、正常であれば第１極性が高温用磁界ＨH 、これと逆極性である第２極性が低温用磁界ＨL （ＨL ＝−ＨH ）であると決定して（ステップＳ２５）、高温用磁界ＨH を印加する（ステップＳ２６）。即ち、スイッチ部３に第１極性の印加を維持するように指示を与える。また、ステップＳ２４において再生が正常でない場合に、第１極性と逆極性である第２極性が高温用磁界ＨH 、第１極性が低温用磁界ＨL （ＨL ＝−ＨH ）であると決定し（ステップＳ２７）、高温用磁界ＨH を印加する（ステップＳ２６）。即ち、スイッチ部３に極性を変えるように指示を与える。
【００２９】
一方、ステップＳ２３の比較結果が、環境温度ｔが境界温度Ｔよりも低い場合には、再生が正常であるか否かを判断し（ステップＳ２８）、正常であれば第１極性が低温用磁界ＨL 、これと逆極性である第２極性が高温用磁界ＨH （ＨH ＝−ＨL ）であると決定して（ステップＳ２９）、低温用磁界ＨL を印加する（ステップＳ３０）。即ち、スイッチ部３に第１極性の印加を維持するように指示を与える。また、ステップＳ２８において再生が正常でない場合は、第２極性が低温用磁界ＨL 、第１極性が高温用磁界ＨH （ＨH ＝−ＨL ）であると決定し（ステップＳ２７）、低温用磁界ＨL を印加する（ステップＳ３０）。即ち、スイッチ部３に端子の接続を切り換えるように指示を与える。
【００３０】
また、ステップＳ２１において、再生の指示が媒体を装着してから初めてではない場合は、測定温度ｔと境界温度Ｔとを比較する（ステップＳ３２）。光磁気ディスク１の環境温度ｔが境界温度Ｔよりも高い場合はステップＳ３０に進み、装着して最初に決定された低温用磁界ＨL を印加する。境界温度Ｔよりも低い場合はステップＳ２６に進み、装着して最初に決定された高温用磁界ＨH を印加する。
【００３１】
このような手順に従って±３５０Ｏｅの再生磁界を印加し、光磁気ディスク１のジッタを測定した結果、光変調記録方式の場合と同様に、広い温度範囲において低いジッタが測定された。これにより、磁界変調記録方式の光磁気ディスク１についても、環境温度に応じて印加する再生磁界の方向を変えるだけで、再生磁界の大きさを変えることなく、広い温度範囲で良好な再生特性を得ることができる。
【００３２】
図７は、本発明の他の実施の形態の光磁気再生装置の部分的な構造を示す模式図である。光磁気ディスク１の上方には永久磁石７が配されており、永久磁石７にはモータ８が接続され、再生磁界制御部５からの指示によりモータ８が再生磁石７を回転せしめ、再生磁界をＳ又はＮ方向に印加するようになっている。その他の構成は図１と同様であり、同部分に同符号を付して説明を省略する。また、この装置を用いて光磁気ディスク１を再生する場合は、図４及び図６と同様の手順を行えば良く、その説明を省略する。永久磁石７を用い、光磁気ディスク１の環境温度に応じて印加する再生磁界の方向を変えることにより、広い温度範囲で良好な再生特性を得ることができる。
【００３３】
このように、上述した本発明の実施の形態では、例えば冬期に屋外で再生装置を使用した場合、又は再生装置の起動直後のように装置内温度が上昇しきらないときには、消去方向の再生磁界又は低温用の再生磁界を印加することにより、良好な再生特性を得ることができる。また、夏期の使用、又は再生装置をフル稼動させた場合には、記録方向の再生磁界又は高温用の再生磁界を印加することにより、良好な再生特性を得ることができる。また、従来のように温度に応じた大きな再生磁界を用いる必要がないので、図６に示したような磁界変調記録方式を用いた場合に、コイルに供給する電流を小さくでき、コイルの損傷を防止できる。
【００３４】
なお、上述した実施の形態では境界温度Ｔは３５℃である場合を説明しているが、この温度は光磁気ディスク１の磁性膜の組成、膜厚のような磁性膜の構成によって異なるものであり、Ｔ＝３５℃に限るものではない。また、光磁気ディスクの膜組成により異なる境界温度Ｔを、光磁気ディスクにデータとして記録しておくことにより、光磁気ディスク毎に適切な境界温度Ｔを設定することができる。
【００３５】
また、図７の永久磁石７の回転はモータ８に限るものではなく、光磁気ディスク１を挟んで永久磁石７の対向側に電磁石を配置し、これをスイッチ部と機能させても良い。
【００３６】
【発明の効果】
以上のように、本発明においては、再生磁界の極性を媒体の環境温度に応じて決定し、決定された極性の再生磁界を印加して再生するので、広範囲の環境温度に対応して良好な再生特性を得ることができる。また、再生磁界の大きさを低減できるので、装置に負担を与えない等、本発明は優れた効果を奏する。
【図面の簡単な説明】
【図１】本発明の実施の形態の光磁気再生装置の部分的な構造を示す模式図である。
【図２】光磁気ディスクの膜構成を示す断面図である。
【図３】光磁気ディスクの環境温度に対する消去方向及び記録方向の最小再生磁界の絶対値を示すグラフである。
【図４】光変調記録方式の光磁気ディスクの再生手順を示すフローチャートである。
【図５】光磁気ディスクの環境温度に対するランダムジッタの測定結果を示すグラフである。
【図６】磁界変調記録方式の光磁気ディスクの再生手順を示すフローチャートである。
【図７】本発明の他の実施の形態の光磁気再生装置の部分的な構造を示す模式図である。
【図８】本願出願人の提案による従来の光磁気ディスクの再生時の磁化状態を示す図である。
【図９】従来の光磁気ディスクの再生磁界と温度との関係を示すグラフである。
【図１０】従来の光磁気ディスクのＣ／Ｎと温度との関係を示すグラフである。
【符号の説明】
１  光磁気ディスク
２  電磁石
３  スイッチ部
４  温度検出器
５  再生磁界制御部
７  永久磁石
【図１】
0003683079.tif 000002
【図２】
0003683079.tif 000003
【図３】
0003683079.tif 000004
【図４】
0003683079.tif 000005
【図５】
0003683079.tif 000006
【図６】
0003683079.tif 000007
【図７】
0003683079.tif 000008
【図８】
0003683079.tif 000009
【図９】
0003683079.tif 000010
【図１０】
0003683079.tif 000011